(57)【要約】【課題】異音およびショートカットの発生を防止できる浴槽用給湯口アダプタを提供する。【解決手段】本発明は、前面が槽内に臨む仕切部材本体３１と、第１および第２流路Ａ，Ｂと、第１流路Ａに連通する第１吐出口４ａおよび第１吸込口５ａと、第２流路Ｂに連通する第２吐出口４ｂおよび第２吸込口５ｂと、吐出口４ａ，４ｂおよび吸込口５ａ，５ｂに設けられた吐出側逆止弁６１ａ，６１ｂおよび吸込側逆止弁６２ａ，６２とを備え、浴槽外から湯水が流路Ａ，Ｂのうちいずれか一方の流路に供給されて、一方の流路を通ってその流路に対応する吐出口から浴槽内に吐出されるとともに、浴槽内の湯水が、他方の流路に対応する吸込口から吸い込まれて他方の流路を通って槽外に流出されるようにした浴槽用給湯口アダプタを対象とする。吐出側逆止弁６１ａ，６１ｂは、吐出方向側の圧力と吸込方向側の圧力とが均衡した通常状態において、開いた状態に配置されている。【選択図】図１
2020056535.tif 000002
【特許請求の範囲】
【請求項１】
前面が槽内に臨むように配置される仕切部材本体と、浴槽壁部を貫通するように配置される第１および第２流路と、前記仕切部材本体の前面に設けられ、かつ前記第１流路に連通する第１吐出口および第１吸込口と、前記仕切部材本体の前面に設けられ、かつ前記第２流路に連通する第２吐出口および第２吸込口と、前記第１，第２吐出口および第１，第２吸込口に設けられた第１，第２吐出側逆止弁および第１，第２吸込側逆止弁とを備え、浴槽外から湯水が前記第１および第２流路のうちいずれか一方の流路に供給されて、前記一方の流路を通ってその流路に対応する吐出口から浴槽内に吐出されるとともに、浴槽内の湯水が、他方の流路に対応する吸込口から吸い込まれて前記他方の流路を通って槽外に流出されるようにした浴槽用給湯口アダプタであって、
前記第１および第２吐出側逆止弁は、前記第１および第２吐出口の前面側を閉塞する態様に配置されて、前記第１および第２吐出口の開口縁部に近接することによって、前記第１および第２吐出口を閉塞するように構成され、
前記第１および第２吐出側逆止弁は、吐出方向側の圧力と吸込方向側の圧力とが均衡した通常状態において、前記第１および第２吐出口の開口縁部に対し前方に離間して配置されていることを特徴とする浴槽用給湯口アダプタ。
【請求項２】
前記第１および第２吐出口にはその開口面に沿ってリブが設けられ、
前記リブに前方に突出する支持凸部が設けられ、その支持凸部によって前記第１および第２吐出側逆止弁が前方に押し込まれた状態に支持されている請求項１に記載の浴槽用給湯口アダプタ。
【請求項３】
前記第１および第２吐出口に、前記リブがそれぞれ複数設けられ、各リブに前記支持凸部がそれぞれ設けられている請求項２に記載の浴槽用給湯口アダプタ。
【請求項４】
前記第１吐出側逆止弁と前記第１吸込側逆止弁とが一体に形成されるとともに、前記第２吐出側逆止弁と前記第２吸込側逆止弁とが一体に形成されている請求項１〜３のいずれか１項に記載の浴槽用給湯口アダプタ。
【請求項５】
前記第１および第２吸込口は横並びに配置されるとともに、前記第１および第２吐出口は、前記第１および第２吸込口の下側において横並びに配置されている請求項１〜４のいずれか１項に記載の浴槽用給湯口アダプタ。
【発明の詳細な説明】
【技術分野】
【０００１】
この発明は、浴槽壁部に貫通状態に取り付けられ、浴槽外の給湯機から湯水を浴槽内に供給するための浴槽用給湯口アダプタに関する。
【背景技術】
【０００２】
一般家庭等の浴槽において、追い焚きが行えるような給湯システムには、浴槽壁部に循環式の給湯口アダプタが貫通状態に組み付けられている。給湯口アダプタの槽外側には、第１および第２の２つの外管接続口があり、例えば第１外管接続口に室外給湯機から浴槽内に湯水を供給する往き管が接続されるとともに、第２外管接続口に浴槽内の湯水を給湯機に戻す戻り管が接続される。そして給湯機からの湯水が第１外管接続口を介してアダプタ内に供給されて浴槽内に吐出されるとともに、浴槽内の湯水がアダプタ内に吸い込まれて、第２外管接続口を介して給湯機に戻されるようになっている。
【０００３】
また給湯口アダプタにおいて無極性タイプのものは、第１および第２外管接続口のいずれに往き管および戻り管を接続しても、正常に動作するように構成されている。
【０００４】
下記特許文献１には、無極性タイプの給湯口アダプタにおいて逆止弁付きのものが開示されている。この給湯口アダプタは、第１外管接続口と連通する第１流路と、第２外管接続口と連通する第２流路と、各流路にそれぞれ連通し、かつ浴槽内に臨む吐出口および吸込口と、各吐出口および各吸込口にそれぞれ設けられた逆止弁とを備えている。
【０００５】
この給湯口アダプタにおいては、往き管が第１外管接続口に連結された場合には、給湯機から供給された湯水が、往き管を介して第１流路に導入されて、第１流路室の吐出口から浴槽内に吐出されるとともに、浴槽内の湯水が第２流路の吸込口から吸い込まれて、第２外管接続口および戻り管を介して給湯機に戻されるようになっている。逆に往き管が第２外管接続口に連結された場合には、給湯機からの湯水が往き管、第２流路、吐出口を介して浴槽内に吐出されるとともに、浴槽内の湯水が第１流路の吸込口から吸い込まれて、第１外管接続口および戻り管を介して給湯機に戻されるようになっている。
【０００６】
一方、従来の給湯機において１缶２水路式給湯機が周知である。この給湯機は１つの燃焼室内に、追い焚きや湯はり時に浴槽に湯水を供給する浴槽側給湯回路と、台所や洗面台等、浴槽以外の箇所に湯水を供給する他の給湯回路とが共存して設けられている。
【０００７】
このような１缶２水路式給湯機に上記の逆止弁付無極性給湯口アダプタが適用された給湯システムにおいては、逆止弁の振動による異音が発生するおそれがある。すなわち一般的に給湯口アダプタの逆止弁は、自然状態においては閉塞されており、浴槽側給湯回路が未使用の状態ではその回路内が密閉されている。このような状態において、他の給湯回路でお湯が供給されると、つまり他の給湯回路内の水が加熱されると、給湯機内において浴槽側給湯回路も加熱されて、浴槽側給湯回路内に滞留する水が膨張し、浴槽側給湯回路内の圧力が高くなる。そうすると、浴槽側給湯回路に繋がる給湯口アダプタの逆止弁が振動して、異音が発生し、使用者等に不快感を与えてしまうおそれがある。
【０００８】
そこで下記特許文献１に示す給湯口アダプタにおいては、各流路の吸込口に設けられる逆止弁を、自然状態において吸込口に対し少しだけ離間した少開状態に配置しておき、既述したように未使用状態で浴槽側給湯回路が加熱されて圧力が上昇した際には、少開状態の吸込口から圧力を逃がすことによって、逆止弁の振動、ひいては異音の発生を防止するようにしている。
【先行技術文献】
【特許文献】
【０００９】
【特許文献１】特許第６１４９４２２号
【発明の概要】
【発明が解決しようとする課題】
【００１０】
上記特許文献１に示す従来の給湯口アダプタでは既述した通り、吐出側の流路（往き流路）となる一方側流路の吸込口と、吸込側の流路（戻り流路）となる他方側流路の吸込口とがそれぞれ少開状態となっているが、少ない流量で浴槽の湯水を循環させるような場合、水圧が不十分であり、吐出側の流路の吸込口の逆止弁が確実に閉塞されず、少開状態が維持される。このため給湯機から吐出側の流路に供給された湯水のうち、一部の湯水が吐出側流路の吸込口から浴槽側に流出されてしまう。ここで、通常の給湯口アダプタにおいては、吐出側流路の吸込口と、吸込側流路の吸込口とは左右に隣合うように配置されるとともに、隣合う２つの吸込口の前面側を覆うように前面カバーが設けられている。このため吐出側流路の吸込口から流出した湯水は、前面カバー内で滞留して、吸込側流路の吸込口から吸引され、いわゆるショートサーキットが発生し、給湯機から浴槽内に湯水を効率良く供給することができないという課題が発生する。
【００１１】
さらに追い焚き時にショートサーキットによって高温の湯水が吸い込まれると、その湯水により、給湯機が追い焚き設定温度まで達したと誤検知し、浴槽の水温が設定温度よりも低い温度状態で追い焚きが終了してしまうという課題が発生する。
【００１２】
この発明は、上記の課題に鑑みてなされたものであり、異音の発生を防止できる上さらに、ショートサーキットの発生を防止することができる浴槽用給湯口アダプタを提供することを目的とする。
【課題を解決するための手段】
【００１３】
上記課題を解決するため、本発明は、以下の手段を備えるものである。
【００１４】
［１］前面が槽内に臨むように配置される仕切部材本体と、浴槽壁部を貫通するように配置される第１および第２流路と、前記仕切部材本体の前面に設けられ、かつ前記第１流路に連通する第１吐出口および第１吸込口と、前記仕切部材本体の前面に設けられ、かつ前記第２流路に連通する第２吐出口および第２吸込口と、前記第１，第２吐出口および第１，第２吸込口に設けられた第１，第２吐出側逆止弁および第１，第２吸込側逆止弁とを備え、浴槽外から湯水が前記第１および第２流路のうちいずれか一方の流路に供給されて、前記一方の流路を通ってその流路に対応する吐出口から浴槽内に吐出されるとともに、浴槽内の湯水が、他方の流路に対応する吸込口から吸い込まれて前記他方の流路を通って槽外に流出されるようにした浴槽用給湯口アダプタであって、
前記第１および第２吐出側逆止弁は、前記第１および第２吐出口の前面側を閉塞する態様に配置されて、前記第１および第２吐出口の開口縁部に近接することによって、前記第１および第２吐出口を閉塞するように構成され、
前記第１および第２吐出側逆止弁は、吐出方向側の圧力と吸込方向側の圧力とが均衡した通常状態において、前記第１および第２吐出口の開口縁部に対し前方に離間して配置されていることを特徴とする浴槽用給湯口アダプタ。
【００１５】
［２］前記第１および第２吐出口にはその開口面に沿ってリブが設けられ、
前記リブに前方に突出する支持凸部が設けられ、その支持凸部によって前記第１および第２吐出側逆止弁が前方に押し込まれた状態に支持されている前項１に記載の浴槽用給湯口アダプタ。
【００１６】
［３］前記第１および第２吐出口に、前記リブがそれぞれ複数設けられ、各リブに前記支持凸部がそれぞれ設けられている前項２に記載の浴槽用給湯口アダプタ。
【００１７】
［４］前記第１吐出側逆止弁と前記第１吸込側逆止弁とが一体に形成されるとともに、前記第２吐出側逆止弁と前記第２吸込側逆止弁とが一体に形成されている前項１〜３のいずれか１項に記載の浴槽用給湯口アダプタ。
【００１８】
［５］前記第１および第２吸込口は横並びに配置されるとともに、前記第１および第２吐出口は、前記第１および第２吸込口の下側において横並びに配置されている前項１〜４のいずれか１項に記載の浴槽用給湯口アダプタ。
【発明の効果】
【００１９】
発明［１］の浴槽用給湯口アダプタによれば、仕切部材本体の吐出口に設けられた吐出側逆止弁を通常状態において少開状態に設定しているため、少開状態の吐出口から圧力を逃がすことによって、未使用時の給湯回路内における不用意な圧力上昇を回避することができる。このためその不用意な圧力上昇によって逆止弁が振動して異音が発生するのを防止することができる。さらに吐出口から吐出される湯水は通常、軸心方向に対し直交する径方向の外側に向けて流出されるため、一方の吐出口から吐出される湯水が他方の吐出口側に流動するのを防止することができる。このため吐出側の流路に連通する一方の吐出口から吐出される湯水が、吸込側の流路に連通する少開状態の他方の吐出口から吸い込まれるのを防止でき、ショートカットの発生を確実に防止することができる。
【００２０】
発明［２］［３］の浴槽用給湯口アダプタによれば、吐出側逆止弁を所望の形態に確実に支持することができるため、高い動作信頼性を得ることができ、品質を向上させることができる。
【００２１】
発明［４］の浴槽用給湯口アダプタによれば、吐出側逆止弁と吸込側逆止弁とを一体に形成しているため、その２つの弁の一体品を仕切部材本体に取り付けるだけで、吐出側および吸込側の２つの逆止弁を一度に組み付けることができる。このように逆止弁を効率良く組み付けることができ、アダプタ全体の組付作業を簡単かつスムーズに行うことができる。
【００２２】
発明［５］の浴槽用給湯口アダプタによれば、上記の効果をより確実に得ることができる。
【図面の簡単な説明】
【００２３】
【図１】図１はこの発明の実施形態である浴槽用給湯口アダプタを示す側面断面図である。
【図２】図２は実施形態の給湯口アダプタを分解して示す斜視図である。
【図３】図３は実施形態の給湯口アダプタに適用された仕切部材を分解して示す斜視図である。
【図４】図４は実施形態の給湯口アダプタに適用された弁付き仕切部材本体を示す正面図である。
【図５】図５は実施形態の弁付き仕切部材本体を示す下面図である。
【図６】図６は実施形態の弁付き仕切部材本体を示す側面断面図である。
【図７】図７は実施形態の仕切部材本体を示す正面図である。
【図８】図８は実施形態の仕切部材本体を示す下面断面図である。
【図９】図９は図７の要部断面図であって、図（ａ）は図７のＤａ−Ｄａ線断面図、図（ｂ）は図７のＤｂ−Ｄｂ線断面図、図（ｃ）は図７のＤｃ−Ｄｃ線断面図である。
【発明を実施するための形態】
【００２４】
図１はこの発明の実施形態である浴槽用給湯口アダプタを示す側面断面図、図２はその給湯口アダプタを分解して示す斜視図である。両図に示すように、この給湯口アダプタは、槽外取付部材１と、槽内取付部材２、仕切部材３と、フィルターカバー９とを基本的な構成要素として備えている。なお本実施形態においては、発明の理解を容易にするため、給湯口アダプタの軸心方向に沿って浴槽内側を「前側」とし、浴槽外側を「後側」として説明する。
【００２５】
槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられたフランジ部１５と、外筒部１２の後部外面に設けられた管状の第１および第２外管接続口１ａ，１ｂとを備えている。
【００２６】
内筒部１１の内側空間は、後述の第１流路Ａの一部として構成されるとともに、内筒部１１および外筒部１２間の環状空間は、後述の第２流路Ｂの一部として構成されている。第１外管接続口１ａは、第１流路Ａとしての内筒部１１内に連通するとともに、第２外管接続口１ｂは、第２流路Ｂとしての内筒部１１および外筒部１２間の環状空間に連通している。
【００２７】
なお槽外取付部材１における外筒部１２の内周面には、槽内取付部材２を組み付けるための雌ねじが刻設されている。
【００２８】
槽内取付部材２は、両端が開放された円筒形状の円筒部２１と、その円筒部２１の前端外周に設けられたフランジ部２５とを備えている。槽内取付部材２の外周面には、槽外取付部材１の雌ねじに対応して雄ねじが刻設されており、槽外取付部材１における外筒部１２の筒孔内に螺着できるように構成されている。
【００２９】
図１および図２に示すように、槽外取付部材１のフランジ部１５が、浴槽の周壁（浴槽壁部Ｗ）の外面における取付孔Ｈの周縁部にパッキン８１（図１参照）を介して沿うように配置された状態で、槽内取付部材２のフランジ部２５が、パッキン８２（図１参照）を介して浴槽壁部Ｗの内面における取付孔Ｈの周縁部に圧接しつつ、槽内取付部材２の円筒部２１が取付孔Ｈを通じて槽外取付部材１の外筒部１２内にねじ込まれて固定される。これにより両取付部材１，２のフランジ部１５，２５が、浴槽壁部Ｗにおける取付孔周縁部を挟持することにより、両取付部材１，２が浴槽壁部Ｗに貫通状態に組み付けられる。
【００３０】
図３は仕切部材３を分解して示す斜視図、図４〜図６は弁付き仕切部材本体３１を示す図、図７および図８は仕切部材本体３１を示す図である。これらの図に示すように、仕切部材３は、仕切部材本体３１と、仕切部材本体３１の前面側を覆うように配置される円板状の前面カバー３９とを備えている。
【００３１】
仕切部材本体３１は、前端に設けられた円盤部３２と、円盤部３２の裏面側に軸心に沿って後方に延びるように一体に形成された円筒部３５とを備えた硬質合成樹脂の一体成形品によって構成されている。
【００３２】
仕切部材本体３１の円盤部３２には、中間部の下側に左右に並んで第１吐出口４ａおよび第２吐出口４ｂが形成されるとともに、中間部における第１吐出口４ａおよび第２吐出口４ｂの上側に、左右に並んで第１吸込口５ａおよび第２吸込口５ｂが形成されている。なお図７の仕切部材本体３１の正面図に示すように、左右に並ぶ第１吐出口４ａおよび第２吐出口４ｂと、第１吸込口５ａおよび第２吸込口５ｂとの間には、横仕切部３７がそれぞれ形成されるとともに、上下に並ぶ第１吐出口４ａおよび第１吸込口５ａと、第２吐出口４ｂおよび第２吸込口５ｂとの間には、縦仕切部３６がそれぞれ形成されている。
【００３３】
第１吐出口４ａおよび第１吸引口５ａは、円盤部３２の裏面側に膨出状に一体形成された流路形成部３３を介して円筒部３５の内部に連通されている。
【００３４】
また第２吐出口４ｂおよび第２吸込口５ｂは、円盤部３２の裏面側において、円筒部３５の外側に連通（開放）されている。
【００３５】
仕切部材本体３１における円盤部３２の前面には、第１および第２吐出口４ａ，４ｂ間に上下方向に沿って仕切壁４５が形成されている。なおこの仕切壁４５は、第１および第２吐出口４ａ，４ｂのいずれか一方の吐出口から吐出された湯水が、他方の吐出口に吸い込まれるのを防止するためのものである。
【００３６】
図７および図８に示すように、仕切部材本体４における第１および第２吐出口４ａ，４ｂには、その開口面に沿って上下方向に延びる３本のリブ４１が一体にそれぞれ形成されている。
【００３７】
図９（ａ）は図７のＤａ−Ｄａ線断面図、図９（ｂ）は図７のＤｂ−Ｄｂ線断面図、図９（ｃ）は図７のＤｃ−Ｄｃ線断面図である。図７および図９（ａ）に示すように各３本のリブ４１のうち最も内側（軸心寄り）のリブ４１１は、吐出口４ａ，４ｂの開口縁部下端から縦仕切部３６に沿うようにしながら上方に延びて横仕切部３７に至るように形成されており、図７および図９（ｂ）に示すように内側から２番目のリブ４１２は、吐出口４ａ，４ｂの開口縁部下端から上方に延びて吐出口４ａ，４ｂの上下方向の中間位置で途切れるように形成されており、図７および図９（ｃ）に示すように内側から３番目（最も外側）のリブ４１３は、横仕切部３７から下方に延びて吐出口４ａ，４ｂの開口縁部下端近傍に至るように形成されている。
【００３８】
さらに図９（ａ）〜（ｃ）に示すように各リブ４１には、その前端縁に前方に突出する支持凸部４２が形成されている。この支持凸部４２の先端（前端）位置は、吐出口４ａ，４ｂの開口面から前方に突出するように形成されている。
【００３９】
図３〜図６に示すように吐出口４ａ，４ｂおよび吸込口５ａ，５ｂに設けられる第１および第２弁部材６ａ，６ｂは、柔軟性および弾力性を有する縦長の合成ゴム製のシート部材によって構成されている。さらに各弁部材６ａ，６ｂの下側半分は第１および第２吐出側逆止弁６１ａ，６１ｂとして構成されるとともに、上側半分は第１および第２吸込側逆止弁６２ａ，６２ｂとして構成されている。
【００４０】
第１および第２弁部材６ａ，６ｂを仕切部材本体４に取り付けるための弁取付板６５は、第１および第２吸込口５ａ，５ｂの双方を閉塞し得る形状に形成されており、第１および第２吸込口５ａ，５ｂに対応して、開口６６ａ，６６ｂが形成されている。なお開口６６ａ，６６ｂには各開口６６ａ，６６ｂを縦断するようにリブ６７（図４参照）が形成されている。
【００４１】
そして上記第１および第２弁部材６ａ，６ｂにおける第１，第２吐出側逆止弁６１ａ，６１ｂおよび第１，第２吸込側逆止弁６２ａ，６２ｂによって、仕切部材本体４の円盤部３２における第１，第２吐出口４ａ，４ｂおよび第１，第２吸込口５ａ，５ｂを覆うようにして、第１および第２弁部材６ａ，６ｂが円盤部３２の前面側に配置される。さらにその状態で、弁取付板６５がその開口６６ａ，６６ｂを第１および第２吸込側逆止弁６２ａ，６２ｂに対応させつつ、弁取付板６５の開口６６ａ，６６ｂの開口縁部が、仕切部材本体４の円盤部３２における第１および第２吸込口５ａ，５ｂの開口縁部に固定される。これにより第１弁部材６ａの第１吐出側逆止弁６１ａおよび第１吸込側逆止弁６２ａ間の境界部と、第２弁部材６ｂの第２吐出側逆止弁６１ｂおよび第２吸込側逆止弁６２ｂ間の境界部とが、仕切部材本体４における横仕切部３７，３７にそれぞれ圧接して固定される。
【００４２】
この状態において、吸込側逆止弁６２ａ，６２ｂは、下端部が固定されて、その下端部を支点に前後方向に弾性変形自在に構成されている。さらに弁取付板６５における開口６６ａ，６６ｂの開口縁部が、吸込側逆止弁６２ａ，６２ｂの外周縁部と密着可能な弁座として機能する。従って、湯水の水圧によって、逆止弁６２ａ，６２ｂに対し吸込方向の圧力が作用した際には、逆止弁６２ａ，６２ｂが後側に弾性変形して、第１および第２吸込口５ａ，５ｂが開放されて、湯水の吸引が許容されるとともに、吐出方向の圧力が作用した際には、逆止弁６２ａ，６２ｂが弁取付板６５の開口縁部に密着して、弁取付板６５の開口６６ａ，６６ｂが閉塞されることにより、第１および第２吸込口５ａ，５ｂが間接的に閉塞されて、湯水の吐出が制限されるように構成されている。なお本実施形態において、吸込側逆止弁６２ａ，６２ｂは、吸込方向（図１の紙面に向かって右側方向）の圧力と吐出方向（図１の左側方向）の圧力とが均衡した通常状態においては、弁取付板６５の開口縁部に密着して、第１および第２吸込口５ａ，５ｂは閉塞されるように構成されている。
【００４３】
一方、吐出側逆止弁６１ａ，６１ｂは、上端部が固定されて、その上端部を支点に前後方向に弾性変形自在に構成されている。さらに第１および第２吐出口４ａ，４ｂの開口縁部が、吐出側逆止弁６１ａ，６１ｂの外周縁部と密着可能な弁座として機能する。従って、逆止弁６１ａ，６１ｂに対し吐出方向の圧力が作用した際には、逆止弁６１ａ，６１ｂが前側に弾性変形して、第１および第２吐出口４ａ，４ｂが開放されて、湯水の吐出が許容されるとともに、吸込方向の圧力が作用した際には基本的に、逆止弁６１ａ，６１ｂが第１および第２吐出口４ａ，４ｂの開口縁部に密着して、第１および第２吐出口４ａ，４ｂが閉塞されて、湯水の吸込が制限されるように構成されている。
【００４４】
ここで図５および図６に示すように、本実施形態においては、第１および第２吐出口４ａ，４ｂの開口面に沿って設けられたリブ４１には、前方に突出する支持凸部４２が形成されているため、その支持凸部４２によって吐出側逆止弁６１ａ，６１ｂが前方に押し込まれるように支持されている。このため吐出側逆止弁６１ａ，６１ｂは通常状態において、少し前方に押し曲げられて、吐出口４ａ，４ｂの開口縁部から少し前方に離間して、少し開放した状態となっている。
【００４５】
図１〜図３に示すように、仕切部材本体３１の円盤部３２にはその前面側を覆うように前面カバー３９が取り付けられて、仕切部材３が組み付けられる。
【００４６】
この仕切部材３の前面カバー３９には、第１および第２吸込口５ａ，５ｂに対応して、多数の吸込孔５が形成されている。そして前面カバー３９の前方側から湯水が吸込孔５を通って第１および第２吸込口５ａ，５ｂに吸い込まれるように構成されている。
【００４７】
また仕切部材３における円盤部３２の下縁部と前面カバー３９の下縁部との間には、隙間が形成されて、この隙間によって、径方向の斜め下向きから下向きにかけて開口する吐出用開口４が形成されている。そして第１および第２吐出口４ａ，４ｂから前方に吐出された湯水が、円盤部３２および前面カバー３９間の隙間を通って、吐出用開口４から吐出されるように構成されている。
【００４８】
以上の構成の仕切部材３が、浴槽壁部Ｗに組み付けられた槽外取付部材１および槽内取付部材２に組み付けられる。すなわち仕切部材３の円盤部３２の裏面側外周縁部を槽内取付部材２のフランジ部２５の前面側に圧接させつつ、仕切部材３の円筒部３５を槽内取付部材２の円筒部２１を通じて、槽外取付部材１の内筒部１１にパッキン８３（図１参照）を介して水密状態に連結し、その状態で周知の固定手段によって仕切部材３を槽内取付部材２に着脱自在に固定する。
【００４９】
この組付状態においては、槽外取付部材１の内筒部１１の内部と、仕切部材３の円筒部３５の内部とが連通し、その連通部によって、第１外管接続口１ａから第１吐出口４ａおよび第１吸込口５ａに至る第１流路Ａが形成される。さらに槽外取付部材１の内筒部１１および外筒部１２間の環状空間部と、仕切部材３の内筒部３５および槽内仕切部材２の円筒部２１間の環状空間部とが連通し、その環状連通部によって、第２外管接続口１ｂから第２吐出口４ｂおよび第２吸込口５ｂに至る第２流路Ｂが形成される。本実施形態においては、第１および第２流路Ａ，Ｂは互いに独立した流路として構成されている。
【００５０】
図１および図２に示すようにフィルターカバー９は、円形の前壁部９１と、前壁部９１の外周縁部に後方に延びるように形成された周壁部９５とを備えている。そしてこのフィルターカバー９がその前壁部９１によって仕切部材３の前面カバー３９の前方を覆うとともに、周壁部９５によって仕切部材３の円盤部３２の外周側面を覆うようにして、仕切部材３の円盤部３２に着脱自在に組み付けられる。
【００５１】
フィルターカバー９には、その前壁部９１に多数の吸込孔９２が形成されるとともに、周壁部９５の下縁部に、仕切部材３の吐出用開口４に対応して吐出用開口９６が形成されている。
【００５２】
以上のように構成された本実施形態の給湯口アダプタは、室外の給湯機から湯水を給湯口アダプタに供給するための往き管と、給湯口アダプタから給湯機に湯水を戻すための戻り管とが第１および第２外管接続口１ａ，１ｂに接続されて、給湯機から供給される湯水を浴槽内に供給する湯はり（貯湯処理）と、浴槽内の湯水を給湯機に戻して再度浴槽内に戻す追い焚き（循環処理）とを行えるものである。
【００５３】
さらに本実施形態の給湯口アダプタは、第１および第２外管接続口１ａ，１ｂのいずれに対して、往き管および戻り管のどちらを接続しても使用可能な、いわゆる無極性タイプのものである。例えば、第１外管接続口１ａに往き管が接続されるとともに、第２外管接続口１ｂに戻り管が接続された場合には、往き管から第１外管接続口１ａに供給された湯水が第１流路Ａを通り、その流通する湯水の水圧によって第１吐出側逆止弁６１ａが開放されて、湯水が第１吐出口４ａから吐出される。さらに第１吐出口４ａから吐出された湯水は、仕切部材３の吐出用開口４およびフィルターカバー９の吐出用開口９６を通って浴槽内に吐出される。この場合、仕切部材３の第１吸込口５ａは、第１流路Ａを流通する湯水の水圧によって第１吸込側逆止弁６２ａが閉塞されるため、第１吸込口５ａから湯水が吐出されるのが防止される。
【００５４】
また浴槽内の湯水は、フィルターカバー９の吸込孔９２および仕切部材３の前面カバー３９の吸込孔５から吸い込まれ、その吸い込まれた湯水の水圧によって、第２吸込側逆止弁６２ｂが開放されて、湯水が第２吸込口５ｂから第２流路Ｂ内に吸い込まれる。さらに第２流路Ｂ内に吸い込まれた湯水は、第２流路Ｂ、第２外管接続口１ｂおよび戻り管を通って給湯機に戻される。この場合、仕切部材３の第２吐出口４ｂにおいては、第２流路Ｂ内が負圧となるため、第２吐出口４ｂが第２吐出側逆止弁６１ｂによって閉塞されて、第２吐出口４ｂから浴槽内の湯水が吸い込まれるのが防止される。
【００５５】
一方、第２外管接続口１ｂに往き管が接続されるとともに、第１外管接続口１ａに戻り管が接続された場合には、往き管から第２外管接続口１ｂに供給された湯水が第２流路Ｂを通り、その流通する湯水の水圧によって第２吐出側逆止弁６１ｂが開放されて、湯水が第２吐出口４ｂから吐出される。さらに第２吐出口４ｂから吐出された湯水は、仕切部材３の吐出用開口４およびフィルターカバー９の吐出用開口９６を通って浴槽内に吐出される。この場合、仕切部材３の第２吸込口５ｂは、第２流路Ｂを流通する湯水の水圧によって第２吸込側逆止弁６２ｂが閉塞されるため、第２吸込口５ｂから湯水が吐出されるのが防止される。
【００５６】
また浴槽内の湯水は、フィルターカバー９の吸込孔９２および仕切部材３の前面カバー３９の吸込孔５から吸い込まれ、その吸い込まれた湯水の水圧によって、第１吸込側逆止弁６２ａが開放されて、湯水が第１吸込口５ａから第１流路Ａ内に吸い込まれる。さらに第１流路Ａ内に吸い込まれた湯水は、第１流路Ａ、第１外管接続口１ａおよび戻り管を通って給湯機に戻される。この場合、仕切部材３の第１吐出口４ａにおいては、第１流路Ａ内が負圧となるため、第１吐出口４ａが第１吐出側逆止弁６１ａによって閉塞されて、第１吐出口４ａから浴槽内の湯水が吸い込まれるのが防止される。
【００５７】
このように本実施形態の給湯口アダプタにおいては、第１および第２外管接続口１ａ，１ｂのいずれに対して、往き管および戻り管のどちらを接続しても問題なく、浴槽内および給湯機間に湯水を循環させることができる。
【００５８】
以上のように構成された本実施形態の給湯口アダプタにおいては、仕切部材３の吐出口４ａ，４ｂに設けられた吐出側逆止弁６１ａ，６１ｂを通常状態において少開状態に設定しているため、１つの燃焼室内に浴槽側給湯回路と、他の給湯回路とが共存する１缶２水路式給湯機に接続したとしても、異音の発生を確実に防止することができる。すなわち本実施形態の給湯口アダプタにおいては、浴槽側給湯回路の一部を構成する第１および第２流路Ａ，Ｂが通常状態で大気に開放されているため、未使用の浴槽用給湯回路が、他の給湯回路の影響によって加熱されたとしても、未使用状態の浴槽用給湯回路内の圧力が高くなるのを防止することができる。このためその圧力上昇によって逆止弁６１ａ，６１ｂ，６２ａ，６２ｂが振動して異音が発生するのを防止することができる。
【００５９】
また本実施形態の給湯口アダプタにおいて、吐出側逆止弁６１ａ，６１ｂは通常状態で少開状態に設定されており、少ない流量で湯水を循環させるような場合には水圧が低くなるため、吐出側逆止弁６１ａ，６１ｂのうち、吸込側の流路（戻り流路）、例えば第２流路Ｂ側に配置される吐出側逆止弁６１ｂは確実に閉じられず、第２吐出口４ｂが少し開いたままの状態となる。このためその少開状態の第２吐出口４ｂから第２流路（吸込側の流路）Ｂ内に湯水が吸い込まれるおそれがある。しかしながら、本実施形態の給湯口アダプタにおいては、仕切部材３の第１および第２吐出口４ａ，４ｂから吐出される湯水は、両側方から下方に向けて、換言すると軸心方向に対し直交する径方向の外側に向けて吐出されるように構成しているため、吐出側の流路（往き流路）としての第１流路Ａ側の第１吐出口４ａから吐出される湯水は、第２吐出口４ｂ側に流動することがない。このため第１吐出口４ａから吐出された湯水が浴槽内に吐出されずに第２吐出口４ｂから直ちに吸い込まれる、いわゆるショートカットの発生を確実に防止することができる．従って、浴槽および給湯機間の湯水の循環を効率良く行うことができ、追い焚きをスムーズに行うことができる。
【００６０】
その上さらに本実施形態の給湯口アダプタにおいては、仕切部材本体３１の円盤部３２の前面における第１および第２吐出口４ａ，４ｂに仕切壁４５を形成して、その仕切壁４５によって、一方の吐出口から流出した湯水が、他方の吐出口側に流動しないようにしているため、ショートカットの発生をより一層確実に防止することができる。
【００６１】
また本実施形態の給湯口アダプタにおいては、仕切部材３の第１および第２吐出口４ａ，４ｂに開口面に沿ってリブ４１を形成し、そのリブ４１に設けた支持凸部４２によって、第１および第２吐出側逆止弁６１ａ，６１ｂを前方に押し込んで支持するようにしているため、通常状態においては、第１および第２吐出側逆止弁６１ａ，６１ｂを少開状態に確実に保持できるとともに、水圧が強い場合には、逆止弁６１ａ，６１ｂの外周縁部を、吐出口４ａ，４ｂの開口縁部に密着できて確実に閉塞することができる。このように吐出口４ａ，４ｂにおいて通常時には所望の少開状態を維持しつつ、必要時には確実に閉塞できるため、高い動作信頼性、ひいては高い品質を確実に得ることができる。
【００６２】
さらに複数のリブ４１を各吐出口４ａ，４ｂにそれぞれ形成して、各リブ４１に支持凸部４２を形成しているため、各吐出側逆止弁６１ａ，６１ｂは複数の支持凸部４２によって安定した状態に支持される。このため各吐出側逆止弁６１ａ，６１ｂは、所望の動作を確実に得ることができ、より一層動作信頼性を向上させることができる。
【００６３】
また本実施形態の給湯口アダプタにおいては、吐出側逆止弁６１ａ，６１ｂと吸込側逆止弁６２ａ，６２ｂとを一体に有する弁部材６ａ，６ｂを用いているため、１つの弁部材を取り付けるだけで２つの逆止弁を一度に組み付けることができる。このように逆止弁６１ａ，６１ｂ，６２ａ，６２ｂを効率良く組み付けることができ、アダプタ全体の組付作業を簡単かつスムーズに行うことができる。
【００６４】
なお上記実施形態においては、第１吐出側逆止弁６１ａと第１吸込側逆止弁６２ａとを一体に形成し、かつ第２吐出側逆止弁６１ｂと第２吸込側逆止弁６２ｂとを一体に形成する場合を例に挙げて説明したが、それだけに限られず、本発明においては、逆止弁同士を一体に形成しても良いし、一体に形成しなくとも良い。例えば第１吐出側逆止弁６１ａと第２吐出側逆止弁６１ｂとを一体に形成し、かつ第１吸込側逆止弁６２ａと第２吸込側逆止弁６２ｂとを一体に形成しても良いし、各逆止弁６１ａ，６１ｂ，６２ａ，６２ｂをそれぞれ別体に形成しても良い。さらに４つの逆止弁６１ａ，６１ｂ，６２ａ，６２ｂうち、いずれか２つの逆止弁を一体に形成し、残り２つの逆止弁を別体に形成するようにしても良い。さらにいずれか３つの逆止弁を一体に形成し、残り１つの逆止弁を別体に形成しても良いし、４つの逆止弁を一体に形成するようにしても良い。
【産業上の利用可能性】
【００６５】
この発明の浴槽用給湯口アダプタは、室外給湯機から浴槽内に湯水を供給する際に浴槽壁部に組み付けられる湯水供給装置として利用することができる。
【符号の説明】
【００６６】
１ａ：第１外管接続口
１ｂ：第２外管接続口
３１：仕切部材本体
４ａ，４ｂ：第１吐出口、第２吐出口
４１，４１１〜４１３：リブ
４２：支持凸部
５ａ，５ｂ：第１吸込口、第２吸込口
６１ａ，６１ｂ：第１吐出側逆止弁、第２吐出側逆止弁
６２ａ，６２ｂ：第１吸込側逆止弁、第２吸込側逆止弁
６７：リブ
Ａ：第１流路
Ｂ：第２流路
Ｗ：浴槽壁部
【図１】
2020056535.tif 000003
【図２】
2020056535.tif 000004
【図３】
2020056535.tif 000005
【図４】
2020056535.tif 000006
【図５】
2020056535.tif 000007
【図６】
2020056535.tif 000008
【図７】
2020056535.tif 000009
【図８】
2020056535.tif 000010
【図９】
2020056535.tif 000011